(57)【要約】【課題】通信部の構成を簡素化するとともに、通信部の構成を共用化し、通信の信頼性を向上すること。【解決手段】加熱部３と、加熱部３の制御命令を入力する操作部４と、操作部４に入力された制御命令に基づき加熱部３の動作を制御する制御部５と、操作部４に入力された制御命令に基づき換気扇に信号を送信する通信部６と、換気扇の制御命令を入力する換気扇操作部７と、を備え、第１通信部６ａは、第２通信部６ｂが換気扇に送信する信号と同一の信号を、第２操作部４ｂが換気扇に送信する信号に対し所定の時間間隔ｔを設け送信時刻を異ならせて換気扇に送信し、換気扇操作部７に入力された場合は、いずれか一方の通信部６が、換気扇に信号を送信するようにしたこと。【選択図】図１
2013002647.tif 000002
【特許請求の範囲】
【請求項１】
本体上面に配される第１加熱部及び第２加熱部と、前記第１加熱部の制御命令を入力する第１操作部と、前記第２加熱部の制御命令を入力する第２操作部と、前記第１操作部に入力された制御命令に基づき前記第１加熱部の動作を制御する第１制御部と、前記第２操作部に入力された制御命令に基づき前記第２加熱部の動作を制御する第２制御部と、前記第１操作部に入力された制御命令に基づき換気扇に信号を送信する第１通信部と、前記第２操作部に入力された制御命令に基づき前記換気扇に信号を送信する第２通信部と、前記換気扇の制御命令を入力する換気扇操作部と、を備え、前記第１通信部は、前記第２通信部が前記換気扇に送信する信号と同一の信号を、前記第２操作部が前記換気扇に送信する信号に対し所定の時間間隔を設け送信時刻を異ならせて前記換気扇に送信し、前記第２通信部は、前記第１操作部が前記換気扇に送信する信号と同一の信号を、前記第１操作部が前記換気扇に送信する信号に対し所定の時間間隔を設け送信時刻を異ならせて前記換気扇に送信し、前記換気扇操作部に入力された場合は、前記第１通信部あるいは前記第２通信部いずれか一方が、前記換気扇に信号を送信する加熱調理器。
【請求項２】
本体上面に配される第３加熱部と、前記第３加熱部の制御命令を入力する第３操作部と、前記第３操作部に入力された制御命令に基づき前記第３加熱部の動作を制御する第３制御部と、前記第３操作部に入力された制御命令に基づき換気扇に信号を送信する第３通信部と、を備え、第１通信部、第２通信部及び前記第３通信部は、他の通信部が前記換気扇に送信する信号と同一の信号を、他の通信部が前記換気扇に送信する信号と所定の時間間隔を設け送信時刻を異ならせて前記換気扇に送信し、換気扇操作部に入力された場合は、前記第１操作部、前記第２操作部あるいは前記第３操作部いずれかが、前記換気扇に信号を送信する請求項１に記載の加熱調理器。
【発明の詳細な説明】
【技術分野】
【０００１】
本発明は、換気扇との通信用投光部を備えた加熱調理器に関するものである。
【背景技術】
【０００２】
従来、この種の加熱調理器において換気扇との通信用投光部を備えるものとしては、キッチンのキャビネット上部に加熱調理器が設置され、加熱調理器上方には、換気扇が配置されている。
【０００３】
加熱調理器は、調理容器を加熱するための複数の加熱部と、加熱部の制御命令を入力する操作部と、操作部に入力された制御命令に基づき加熱部を制御する制御部と、操作部に入力された制御命令に基づき換気扇に信号を送信する通信部から構成される。
【０００４】
通信部は、機器内の全ての加熱情報を把握し、その加熱情報に基づいて換気扇に信号を送信している（例えば、特許文献１、特許文献２参照）。
【先行技術文献】
【特許文献】
【０００５】
【特許文献１】特開２０１０−０２５４０１号公報
【特許文献２】特開２００３−０２１３３９号公報
【発明の概要】
【発明が解決しようとする課題】
【０００６】
しかしながら、前記従来の構成では、機器内のすべての加熱部の加熱情報を把握し、前記加熱情報に従って、換気扇への信号を出力する通信部が必要であり、通信部の構成が複雑である、という課題を有していた。
【０００７】
本発明は、前記従来の課題を解決するもので、通信部の構成を簡素化するとともに、通信部の構成を共用化し、通信の信頼性を向上した加熱調理器を提供することを目的とする。
【課題を解決するための手段】
【０００８】
前記従来の課題を解決するために、本発明の加熱調理器は、本体上面に配される第１加熱部及び第２加熱部と、前記第１加熱部の制御命令を入力する第１操作部と、前記第２加熱部の制御命令を入力する第２操作部と、前記第１操作部に入力された制御命令に基づき前記第１加熱部の動作を制御する第１制御部と、前記第２操作部に入力された制御命令に基づき前記第２加熱部の動作を制御する第２制御部と、前記第１操作部に入力された制御命令に基づき換気扇に信号を送信する第１通信部と、前記第２操作部に入力された制御命令に基づき前記換気扇に信号を送信する第２通信部と、前記換気扇の制御命令を入力する換気扇操作部と、を備え、前記第１通信部は、前記第２通信部が前記換気扇に送信する信号と同一の信号を、前記第２操作部が前記換気扇に送信する信号に対し所定の時間間隔を設け送信時刻を異ならせて前記換気扇に送信し、前記第２通信部は、前記第１操作部が前記換気扇に送信する信号と同一の信号を、前記第１操作部が前記換気扇に送信する信号に対し所定の時間間隔を設け送信時刻を異ならせて前記換気扇に送信し、前記換気扇操作部に入力された場合は、前記第１通信部あるいは前記第２通信部いずれか一方が、前記換気扇に信号を送信するようにしたものである。
【０００９】
これによって、通信部の構成を簡素化することが可能となり、通信部の構成を共用化で
きる。また、故障時においても、複数の通信部が独立して備わっているため、故障の影響を最小限の範囲に抑えることができる。
【発明の効果】
【００１０】
本発明の加熱調理器は、通信部の構成を簡素化することが可能となり、通信部の構成を共用化できる。また、故障時においても、複数の通信部が独立して備わっているため、最小限の範囲に抑えることができる。
【図面の簡単な説明】
【００１１】
【図１】本発明の実施の形態１における加熱調理器のブロック図
【図２】本発明の実施の形態１における加熱調理器の待機時のＬＥＤ表示状態を示す図
【図３】本発明の実施の形態１における加熱調理器の加熱開始時のＬＥＤ表示状態を示す図
【図４Ａ】（ａ）本発明の実施の形態１における加熱調理器の待機状態における通信部の起動、停止動作タイミングチャート（ｂ）本発明の実施の形態１における加熱調理器の換気扇の速度変更時における通信部の動作タイミングチャート
【図４Ｂ】（ｃ）本発明の実施の形態１における加熱調理器の加熱開始時の通信部の動作タイミングチャート（ｄ）本発明の実施の形態１における加熱調理器の加熱停止時の通信部の動作タイミングチャート
【図５】本発明の実施の形態２における加熱調理器のブロック図
【図６Ａ】（ａ）本発明の実施の形態２における加熱調理器の第１加熱部の加熱開始時における通信部の動作タイミングチャート（ｂ）本発明の実施の形態２における加熱調理器の第１加熱部の加熱停止時における通信部の動作タイミングチャート
【図６Ｂ】（ｃ）本発明の実施の形態２における加熱調理器の第２加熱部の加熱開始時における通信部の動作タイミングチャート（ｄ）本発明の実施の形態２における加熱調理器の第２加熱部の加熱停止時における通信部の動作タイミングチャート
【図６Ｃ】（ｅ）本発明の実施の形態２における加熱調理器の第３加熱部の加熱開始時における通信部の動作タイミングチャート（ｆ）本発明の実施の形態２における加熱調理器の第３加熱部の加熱停止時における通信部の動作タイミングチャート
【発明を実施するための形態】
【００１２】
第１の発明は、本体上面に配される第１加熱部及び第２加熱部と、前記第１加熱部の制御命令を入力する第１操作部と、前記第２加熱部の制御命令を入力する第２操作部と、前記第１操作部に入力された制御命令に基づき前記第１加熱部の動作を制御する第１制御部と、前記第２操作部に入力された制御命令に基づき前記第２加熱部の動作を制御する第２制御部と、前記第１操作部に入力された制御命令に基づき換気扇に信号を送信する第１通信部と、前記第２操作部に入力された制御命令に基づき前記換気扇に信号を送信する第２通信部と、前記換気扇の制御命令を入力する換気扇操作部と、を備え、前記第１通信部は、前記第２通信部が前記換気扇に送信する信号と同一の信号を、前記第２操作部が前記換気扇に送信する信号に対し所定の時間間隔を設け送信時刻を異ならせて前記換気扇に送信し、前記第２通信部は、前記第１操作部が前記換気扇に送信する信号と同一の信号を、前記第１操作部が前記換気扇に送信する信号に対し所定の時間間隔を設け送信時刻を異ならせて前記換気扇に送信し、前記換気扇操作部に入力された場合は、前記第１通信部あるいは前記第２通信部いずれか一方が、前記換気扇に信号を送信するようにしたものである。
【００１３】
これによって、通信部の構成を簡素化することが可能となり、通信部の構成を共用化できる。
【００１４】
また、故障時においても、複数の通信部が独立して備わっているため、故障の影響を最
小限の範囲に抑えることができる。
【００１５】
第２の発明は、特に、第１の発明の加熱調理器において、本体上面に配される第３加熱部と、前記第３加熱部の制御命令を入力する第３操作部と、前記第３操作部に入力された制御命令に基づき前記第３加熱部の動作を制御する第３制御部と、前記第３操作部に入力された制御命令に基づき換気扇に信号を送信する第３通信部と、を備え、第１通信部、第２通信部及び前記第３通信部は、他の通信部が前記換気扇に送信する信号と同一の信号を、他の通信部が前記換気扇に送信する信号と所定の時間間隔を設け送信時刻を異ならせて前記換気扇に送信し、換気扇操作部に入力された場合は、前記第１操作部、前記第２操作部あるいは前記第３操作部いずれかが、前記換気扇に信号を送信するようにしたものである。
【００１６】
これによって、通信部の構成を簡素化することが可能となり、通信部の構成を共用化できる。また、故障時においても、複数の通信部が独立して備わっているため、最小限の範囲に抑えることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における加熱調理機器のブロック図である。
【００１９】
図１において、調理容器１を載置するためのトッププレート２と、トッププレート２の下方に設けられ調理容器１を誘導加熱する第１加熱部３ａおよび第２加熱部３ｂと、第１加熱部３ａに制御命令を入力する第１操作部４ａと、第２加熱部３ｂの制御命令を入力する第２操作部４ｂと、第１操作部４ａに入力された制御命令に基づき第１加熱部３ａの動作を制御する第１制御部５ａと、第２操作部４ｂに入力された制御命令に基づき第２加熱部３ｂの動作を制御する第２制御部５ｂと、第１操作部４ａに入力された制御命令に基づき換気扇に信号を送信する第１通信部６ａと、第２操作部４ｂに入力された制御命令に基づき換気扇に信号を送信する第２通信部６ｂと、換気扇の制御命令を入力する換気扇操作部７を備えている。
【００２０】
以上のように構成された加熱調理器について以下その動作、作用を説明する。
【００２１】
図に示していない電源スイッチを押すと本発明の加熱調理器は待機状態となる。待機状態では、図２の本発明の第１の実施の形態における加熱調理器の待機時のＬＥＤ表示状態を示す説明図の第１操作部４ａおよび第２操作部４ｂの操作可能なメニュー（例えば、加熱入／切、揚げ物入／切、湯沸し）に対応するＬＥＤ表示部１０が点滅している状態である。
【００２２】
また、換気扇操作部７は加熱調理器が待機状態に移行してから加熱調理器の電源を切るまでの全てのモード状態において、換気扇の起動および停止あるいは、換気扇の速度を変更する操作が可能である。
【００２３】
換気扇操作部７の操作による動作について説明する。加熱調理器が待機中もしくは加熱中であっても、換気扇操作部７の換気扇連動入／切スイッチ１６を操作すると、操作された時の換気扇の状態が運転状態であれば停止、停止状態であれば運転動作をおこなうことができる。
【００２４】
換気扇連動入／切スイッチ１６が操作された時の第１通信部６ａおよび第２通信部６ｂ
の動作は、どちらか一方の通信部を動作させるようにし、通信の相互干渉を防ぐともに通信の処理を簡素化している。
【００２５】
図４Ａ（ａ）は本発明の第１の実施の形態における加熱調理器の待機状態における通信部の起動、停止動作タイミングチャートであり、待機状態において、換気扇連動入／切スイッチ１６の操作により起動／停止の動作をおこなった時に、第１通信部または第２通信部のいずれか一方の通信部が動作している状態を示している。
【００２６】
第１通信部６ａあるいは第２通信部６ｂのいずれか一方の通信部は、図４（ａ）に示すように換気扇連動入／切スイッチ１６を押すごとに、換気扇を起動させる赤外線信号（換気扇回転信号）と換気扇を停止させる赤外線信号（換気扇停止信号）を交互に送信する。もう一方の通信部は信号を送信しない。
【００２７】
また、図４Ａ（ｂ）は本発明の第１の実施の形態における加熱調理器の換気扇の速度変更時における通信部の動作タイミングチャートである。図４Ａ（ｂ）において、換気扇速度変更スイッチ１７を押すごとに、換気扇の速度を一段階アップ（例えば、換気扇の速度を低速、中速および高速の３段階とすると、換気扇速度変更スイッチ１７を押すごとに低速→中速→高速→低速→・・・と繰り返す）させる赤外線信号を送信し、もう一方の通信部は信号を送信しない。
【００２８】
加熱を開始するには、待機状態中に第１操作部４ａあるいは第２操作部４ｂの加熱入／切スイッチ１１を選択すると加熱を開始する。
【００２９】
以降、第１加熱部３ａの加熱を例に説明を行う。図３は本発明の第１の実施の形態における加熱調理器の加熱開始時のＬＥＤ表示状態を示す図である。
【００３０】
加熱調理器の待機状態中に第１操作部４ａの加熱入／切スイッチ１１を選択すると加熱を開始し、図３に示すように第１操作部４ａの加熱入／切および設定火力に対応するＬＥＤ表示部１０が点灯する。
【００３１】
加熱を開始すると、図４Ｂ（ｃ）本発明の第１の実施の形態における加熱調理器の加熱開始時の通信部の動作タイミングチャートに示すように、第１通信部６ａ（ここでは第１加熱部３ａが加熱を開始している）は、換気扇に換気扇を回転させる赤外線信号（換気扇回転信号）を送信する。
【００３２】
そして、第１通信部６ａが換気扇を回転させる赤外線信号を送信してから所定の時間間隔ｔ（例えば５０μｓ）後に、第２通信部６ｂは、第１通信部６ａが送信した赤外線信号（換気扇回転信号）と同一の信号を換気扇に送信する。
【００３３】
加熱中は、火力アップスイッチ１４を一回選択する毎に設定火力を一段階アップさせ、火力ダウンスイッチ１５を一回選択する毎に設定火力を一段階ダウンさせることができる。
【００３４】
加熱中に、第１操作部４ａの加熱入／切スイッチ１１を選択すると、加熱を停止し、待機状態に戻る。加熱を停止すると、図４Ｂ（ｄ）に示すように第１通信部６ａは、換気扇に換気扇を停止させる赤外線信号（換気扇停止信号）を送信する。
【００３５】
そして、換気扇を停止させる赤外線信号を送信してから所定の時間間隔ｔ（例えば５０μｓ）後に、第２通信部６ｂは、第１通信部６ａが送信した赤外線信号（換気扇停止信号）と同一の信号を換気扇に送信する。
【００３６】
上記では、第１加熱部３ａの加熱について説明したが、第２加熱部３ｂについても同様の動作をおこなう。
【００３７】
また、加熱を例に説明したが、加熱の代わりに揚げ物や湯沸し等の自動調理メニューの開始、停止においても同等の効果が得られる。
【００３８】
また、通信部が送信する信号を赤外線信号として説明したが、その他の無線信号においても同等の効果が得られ、これに限定するものではない。
【００３９】
以上のような構成により、通信部の構成を簡素化することが可能となり、各通信部の入力処理の方法ならびに通信処理の方法の共通化が可能となり、通信部の構成を共用化できる。
【００４０】
また、加熱開始時の通信部から換気扇を起動する動作は、複数の通信部から相互に干渉することのない通信で換気扇を起動するので、換気扇を動作させる動作信頼性を高めた加熱調理器を実現することができる。
また、通信部の故障時においても、複数の通信部が独立して備わっているため、故障の影響を最小限の範囲に抑えることができる。
【００４１】
（実施の形態２）
次に本発明の実施の形態２について説明する。実施の形態１と同一部分は説明を省略し、相違点についてのみ説明する。図５は本発明の第２の実施の形態における加熱調理機器のブロック図である。
【００４２】
実施の形態１との相違点は、図５において本体上面に配される第３加熱部３ｃと、第３加熱部３ｃの制御命令を入力する第３操作部４ｃと、第３操作部４ｃに入力された制御命令に基づき第３加熱部３ｃの動作を制御する第３制御部５ｃと、第３操作部４ｃに入力された制御命令に基づき換気扇に信号を送信する第３通信部６ｃと、を備え、第１通信部６ａ、第２通信部６ｂ及び第３通信部６ｃは、他の通信部が前記換気扇に送信する信号と同一の信号を、他の通信部が前記換気扇に送信する信号と所定の時間間隔ｔを設け送信時刻を異ならせて前記換気扇に送信し、換気扇操作部７に入力された場合は、第１操作部４ａ、第２操作部４ｂあるいは第３操作部４ｃのいずれかが、前記換気扇に信号を送信する構成とした点である。
【００４３】
以上のように構成された加熱調理器について以下その動作、作用を説明する。
【００４４】
第１加熱部３ａを加熱する場合、加熱を開始すると、図６Ａ（ａ）本発明の第２の実施の形態における加熱調理器の第１加熱部の加熱開始時における通信部の動作タイミングチャートに示すように、第１通信部６ａは換気扇に換気扇を回転させる赤外線信号を送信する。
【００４５】
そして、第１通信部６ａが換気扇を回転させる赤外線信号を送信してから所定の時間間隔ｔ（例えば５０μｓ）後に、第２通信部６ｂは、第１通信部６ａが送信した赤外線信号と同一の信号を換気扇に送信し、第２通信部６ｂが換気扇を回転させる赤外線信号を送信してから所定の時間間隔ｔ（例えば５０μｓ）後に、第３通信部６ｃは、第１通信部６ａおよび第２通信部６ｂが送信した赤外線信号と同一の信号を換気扇に送信する。
【００４６】
加熱を停止すると、図６Ａ（ｂ）本発明の第２の実施の形態における加熱調理器の第１加熱部の加熱停止時における通信部の動作タイミングチャートに示すように第１通信部６
ａは、換気扇に換気扇を停止させる赤外線信号を送信する。
【００４７】
そして、第１通信部６ａが換気扇を停止させる赤外線信号を送信してから所定の時間間隔ｔ（例えば５０μｓ）後に、第２通信部６ｂは、第１通信部６ａが送信した赤外線信号と同一の信号を換気扇に送信し、第２通信部６ｂが換気扇を停止させる赤外線信号を送信してから所定の時間間隔ｔ（例えば５０μｓ）後に、第３通信部６ｃは、第１通信部６ａおよび第２通信部６ｂが送信した赤外線信号と同一の信号を換気扇に送信する。
【００４８】
第２加熱部３ｂを加熱する場合、加熱を開始すると、図６Ｂ（ｃ）本発明の第２の実施の形態における加熱調理器の第２加熱部の加熱開始時における通信部の動作タイミングチャートに示すように、第２通信部６ｂは、換気扇に換気扇を回転させる赤外線信号を送信する。
【００４９】
そして、第２通信部６ｂが換気扇を回転させる赤外線信号を送信してから所定の時間間隔ｔ（例えば５０μｓ）後に、第３通信部６ｃは、第２通信部６ｂが送信した赤外線信号と同一の信号を換気扇に送信し、第３通信部６ｃが換気扇を回転させる赤外線信号を送信してから所定の時間間隔ｔ（例えば５０μｓ）後に、第１通信部６ａは、第２通信部６ｂおよび第３通信部６ｃが送信した赤外線信号と同一の信号を換気扇に送信する。
【００５０】
加熱を停止すると、図６Ｂ（ｄ）本発明の第２の実施の形態における加熱調理器の第２加熱部の加熱停止時における通信部の動作タイミングチャートに示すように、第２通信部６ｂは、換気扇に換気扇を停止させる赤外線信号を送信する。
【００５１】
そして、第２通信部６ｂが換気扇を停止させる赤外線信号を送信してから所定の時間間隔ｔ（例えば５０μｓ）後に、第３通信部６ｃは、第２通信部６ｂが送信した赤外線信号と同一の信号を換気扇に送信し、第３通信部６ｃが換気扇を停止させる赤外線信号を送信してから所定の時間間隔ｔ（例えば５０μｓ）後に、第１通信部６ａは、第２通信部６ｂおよび第３通信部６ｃが送信した赤外線信号と同一の信号を換気扇に送信する。
【００５２】
第３加熱部３ｃを加熱する場合、加熱を開始すると、図６Ｃ（ｅ）本発明の第２の実施の形態における加熱調理器の第３加熱部の加熱開始時における通信部の動作タイミングチャートに示すように、第３通信部６ｃは換気扇に換気扇を回転させる赤外線信号を送信する。
【００５３】
そして、第３通信部６ｃが換気扇を回転させる赤外線信号を送信してから所定の時間間隔ｔ（例えば５０μｓ）後に、第１通信部６ａは、第３通信部６ｃが送信した赤外線信号と同一の信号を換気扇に送信し、第１通信部６ａが換気扇を回転させる赤外線信号を送信してから所定の時間間隔ｔ（例えば５０μｓ）後に、第２通信部６ｂは、第３通信部６ｃおよび第１通信部６ａが送信した赤外線信号と同一の信号を換気扇に送信する。
【００５４】
加熱を停止すると、図６Ｃ（ｆ）本発明の第２の実施の形態における加熱調理器の第３加熱部の加熱停止時における通信部の動作タイミングチャートに示すように第３通信部６ｃは、換気扇に換気扇を停止させる赤外線信号を送信する。
【００５５】
そして、第３通信部６ｃが換気扇を停止させる赤外線信号を送信してから所定の時間間隔ｔ（例えば５０μｓ）後に、第１通信部６ａは、第３通信部６ｃが送信した赤外線信号と同一の信号を換気扇に送信し、第１通信部６ａが換気扇を停止させる赤外線信号を送信してから所定の時間間隔ｔ（例えば５０μｓ）後に、第２通信部６ｂは、第３通信部６ｃおよび第１通信部６ａが送信した赤外線信号と同一の信号を換気扇に送信する。
【００５６】
また、換気扇操作部７に入力された場合は、第１通信部６ａ、第２通信部６ｂあるいは第３通信部６ｃのいずれかが１つが、換気扇連動入／切スイッチ１６を押すごとに、換気扇を起動させる赤外線信号と換気扇を停止させる赤外線信号を交互に送信し、換気扇速度変更スイッチ１７を押すごとに、換気扇の速度を一段階アップ（例えば、換気扇の速度を低速、中速および高速の３段階とすると、換気扇速度変更スイッチ１７を押すごとに低速→中速→高速→低速→・・・と繰り返す）させる赤外線信号を送信し、残りの通信部は信号を送信しない。
【００５７】
なお、赤外線信号を送信する通信部は、ユーザーによって設定できるようにすれば、加熱調理器を設置する際に通信部と換気扇との位置に柔軟に対応することが可能となる。
【００５８】
以上のような構成により、通信部の構成を簡素化することが可能となり、通信部の構成を共用化できる。
【００５９】
また、故障時においても、複数の通信部が独立して備わっているため、故障の影響を最小限の範囲に抑えることができる。
【産業上の利用可能性】
【００６０】
以上のように、本発明にかかる加熱調理器は、簡単な構成で複数の通信部を共用化でき動作信頼性を高めることが可能となるので、換気扇と赤外線通信を行う加熱調理器の他に、赤外線以外の波長の光や電波を媒体とした通信や、超音波通信を使用した機器などの用途にも適用できる。
【符号の説明】
【００６１】
１  調理容器
２  トッププレート
３ａ  第１加熱部
３ｂ  第２加熱部
３ｃ  第３加熱部
４ａ  第１操作部
４ｂ  第２操作部
４ｃ  第３操作部
５ａ  第１制御部
５ｂ  第２制御部
５ｃ  第３制御部
６ａ  第１通信部
６ｂ  第２通信部
６ｃ  第３通信部
７  換気扇操作部
１０  ＬＥＤ表示部
１１  加熱入／切スイッチ
１２  揚げ物入／切スイッチ
１３  湯沸し入／切スイッチ
１４  火力アップスイッチ
１５  火力ダウンスイッチ
１６  換気扇連動入／切スイッチ
１７  換気扇速度変更スイッチ
【図１】
2013002647.tif 000003
【図２】
2013002647.tif 000004
【図３】
2013002647.tif 000005
【図４Ａ】
2013002647.tif 000006
【図４Ｂ】
2013002647.tif 000007
【図５】
2013002647.tif 000008
【図６Ａ】
2013002647.tif 000009
【図６Ｂ】
2013002647.tif 000010
【図６Ｃ】
2013002647.tif 000011